(57)【要約】      （修正有）【課題】道路側及び監視員通路側から消火栓弁開閉レバー簡単且つ容易に操作可能とする。【解決手段】消火栓収納箱３０は、道路側となる筐体３１の前面に、上下方向にスライド開閉自在に前扉３２が配置され、監視員通路面側となる筐体３１の上面に、上扉３６が前開き及び後開き自在に配置され、上扉３６の下方に中扉４０が前開き自在に配置される。中扉４０の裏面には、消火栓弁開閉レバー６８が設けられ、分離配置された消火栓弁を遠隔制御する手動パイロット弁を開閉操作する。【選択図】図４
2018089212.tif 000002
【特許請求の範囲】
【請求項１】
トンネル壁面に沿った監視員通路に埋込み設置され、内部にノズル付きのホースが収納された筐体と、
前記監視員通路側となる前記筐体の上面に、前開き及び後開き自在に配置された上扉と、
が設けられた消火栓収納箱に於いて、
前記筐体の内部で前記上扉の下方に、前開き自在に配置された中扉と、
前記中扉の裏面に、消火栓収納箱から分離配置された消火栓弁を遠隔的に開閉操作する消火栓弁開閉レバーが配置された放水操作機構と、
を備えたことを特徴とする消火栓収納箱。
【請求項２】
請求項１記載の消火栓収納箱に於いて、
前記放水操作機構は、
互いに回転可能な配管接続部の一方が、前記筐体側又は前記中扉側に固定された一対の可動管継手と、
前記一対の可動管継手の間に接続されたパイロット配管と、
前記パイロット配管に接続され、前記消火栓弁開閉レバーの開閉操作により前記消火栓弁に対するパイロット圧を制御して、当該消火栓弁を開閉させる手動パイロット弁と、
を備え、
前記一対の可動管継手は、前記配管接続部の回転軸が互いに一致するように配置され、
前記中扉は、前記一対の可動管継手の回転軸周りに開閉することを特徴とする消火栓収納箱。
【請求項３】
請求項１記載の消火栓収納箱に於いて、前記放水操作機構は、
前記中扉の裏面に、前記消火栓弁開閉レバーの操作による開位置及び閉位置を検出し、当該検出位置に応じて開位置検出信号又は閉位置検出信号を出力する開閉操作検出部を備え、
前記筐体側に、
モータ駆動により前記消火栓弁に対するパイロット圧を制御して、当該消火栓弁を開閉させる電動パイロット弁と、
前記開閉操作検出部からの開位置検出信号により前記電動パイロット弁を開駆動させ、前記開閉操作検出部からの閉位置検出信号により前記電動パイロット弁を閉駆動させる開閉回路部と、
を備え、
前記開閉操作検出部と前記開閉回路部との接続を前記中扉の開閉状態に関わらず維持可能に信号線が配線されたことを特徴とする消火栓収納箱。
【請求項４】
トンネル壁面に沿った監視員通路に埋込み設置され、内部にノズル付きのホースが収納された筐体と、
前記監視員通路側となる前記筐体の上面に、前開き及び後開き自在に配置された上扉と、
が設けられた消火栓収納箱に於いて、
前記筐体の内部で前記上扉の下方に、前開き自在に配置された中扉と、
前記中扉の裏面に、前記ノズルが着脱自在に係止されるノズルホルダーが設けられたノズル係止機構と、
を備えたことを特徴とする消火栓収納箱。
【請求項５】
請求項４記載の消火栓収納箱に於いて、前記ノズル係止機構は、前記中扉が前開きされた場合に、前記ノズルホルダーに係止された前記ノズルを外部に露出させることを特徴とする消火栓収納箱。
【請求項６】
請求項１又は４記載の消火栓収納箱に於いて、道路側となる前記筐体の前面に、上下方向にスライド開閉自在に配置された前扉を備え、
前記上扉は、前記前扉の開操作又は開動作に連動して前開き可能となることを特徴とする消火栓収納箱。
【発明の詳細な説明】
【技術分野】
【０００１】
本発明は、ノズル付きホースを引き出して消火用水又は消火泡を放出させるトンネル内の監視員通路に設置された消火栓収納箱に関する。
【背景技術】
【０００２】
従来、高速道路や自動車専用道路などのトンネル内に設置するトンネル非常用設備として消火栓装置が設けられており、消火栓装置は開放自在な消火栓扉を備え、先端にノズルを装着したホースと消火栓弁を含むバルブ類を収納している。
【０００３】
消火栓装置は、一般的に、トンネル側壁に沿って例えば５０メートル間隔でトンネル壁面に埋込み設置されている。火災を伴う車両事故が発生した場合には、監視員通路のあるトンネルでは、事故車両の運転者等の道路利用者は監視員通路の側面に設置されたステップ等により監視員通路に登り、トンネル壁面に設置された消火栓装置の消火栓扉を前方に開放してノズル付きのホースを取出して消火作業を行うようにしている。
【０００４】
監視員通路は路面に対し高くした側壁通路として設けられ、トンネル内の車両通行を妨げることなく且つ安全にトンネル内に設置している消火栓装置を含む各種の機器の点検を行うことを可能としている。
【０００５】
また、監視員通路のないトンネルにあっては、事故車両の運転者等の利用者は、トンネル壁面に設置された消火栓装置に近づき、同様に、消火栓扉を前方に開放してノズル付きのホースを取出して消火作業を行うようにしている。
【先行技術文献】
【特許文献】
【０００６】
【特許文献１】特開２００６−１８１０５７号公報
【特許文献２】特開２００８−０５５０２４号公報
【特許文献３】特開２００９−２８５１２６号公報
【発明の概要】
【発明が解決しようとする課題】
【０００７】
ところで、シールド工法等により作られた都市型トンネルにあっては、トンネル壁面に消火栓装置を埋込み設置できない構造であり、監視員通路の側壁面に消火栓装置を埋込み設置する必要がある。
【０００８】
しかしながら、従来の消火栓のように扉を前開きする消火栓装置を監視員通路に設置した場合には、消火栓扉が開くと建築限界を超えて道路側に飛び出す問題がある。
【０００９】
この問題を解決するため、監視員通路内に消火栓収納箱を埋込み設置し、道路側に面してスライド開閉される前扉を設けると共に、監視員通路面に上向きに開閉される上扉を設けた消火栓収納箱が提案されている。
【００１０】
このように監視員通路に埋込み設置された消火栓収納箱によれば、車両事故による火災の発生時に、利用者は、道路に面した前扉を開くことで、ホース収納部から簡単且つ容易にノズル付きホースを引き出して消火を行うことができる。また、消火栓装置の前に車両が停止して前扉からの操作ができない場合には、監視員通路の上扉を開くことで、停止車両に妨げられることなく、ノズル付きホースを引き出して消火を行うことができる。
【００１１】
このような監視員通路に設置された消火栓収納箱にあっては、前扉又は上扉を開いてノズル付きのホースを引き出した場合、筐体内に設けている消火栓弁開閉レバーを開位置に操作することで、消火栓収納箱に対し分離配置されている消火栓弁を遠隔的に開放させて、引き出されたホースに消火用水を供給して放水させる。
【００１２】
しかしながら、前扉又は上扉を開くことで開放された例えば筐体の上部開口内部に消火栓開閉レバーが収納されているため、外部から見て消火栓弁開閉レバーが見つけづらく、操作に手間取る場合がある。また、道路利用者は筐体開口から内部に手を入れて消火栓開閉レバーを操作しなければならないため、道路側からも、また、監視員通路側からも操作しにくいという問題がある。
【００１３】
また、前扉又は上扉を開くことで開放された例えば筐体の上部開口内部にノズルが収納されているため、外部から見てノズルが見つけづらく、操作に手間取る場合がある。また、道路利用者は筐体開口から内部に手を入れてノズルを取り出さなければならないため、道路側からも、また、監視員通路側からも操作しにくいという問題がある。
【００１４】
本発明は、トンネル内の消火栓設備において、道路側及び監視員通路側からの消火栓弁開閉レバーの操作及びノズルの取出しを簡単且つ容易に操作可能とする消火栓収納箱を提供することを目的とする。
【課題を解決するための手段】
【００１５】
（放水操作機構を備えた消火栓収納箱）
本発明は、
トンネル壁面に沿った監視員通路に埋込み設置され、内部にノズル付きのホースが収納された筐体と、
監視員通路側となる筐体の上面に、前開き及び後開き自在に配置された上扉と、
が設けられた消火栓収納箱に於いて、
筐体の内部で上扉の下方に、前開き自在に配置された中扉と、
中扉の裏面に、消火栓収納箱から分離配置された消火栓弁を遠隔的に開閉操作する消火栓弁開閉レバーが配置された放水操作機構と、
を備えたことを特徴とする。
【００１６】
ここで、上扉の前開き自在な配置とは、上扉の後縁部を軸として上向き回りに開閉自在に配置されること、上扉の後開き自在な配置とは、上扉の前縁部を軸として上向き回りに開閉自在に配置されることを意味し、また、中扉の前開き自在な配置とは、中扉の後部側を軸として上向き回りに開閉自在に配置されることを意味する。
【００１７】
（パイロット弁式放水操作機構）
放水操作機構は、
互いに回転可能な配管接続部の一方が、筐体側又は中扉側に固定された一対の可動管継手（スイベルジョイント）と、
一対の可動管継手の間に接続されたパイロット配管と、
パイロット配管に接続され、消火栓弁開閉レバーの開閉操作により消火栓弁に対するパイロット圧を制御して、当該消火栓弁を開閉させる手動パイロット弁と、
を備え、
一対の可動管継手は、配管接続部の回転軸が互いに一致するように配置され、
中扉は、一対の可動管継手の回転軸周りに開閉する。
【００１８】
（電気式放水操作機構）
放水操作機構は、
中扉の裏面に、消火栓弁開閉レバーの操作による開位置及び閉位置を検出し、当該検出位置に応じて開位置検出信号又は閉位置検出信号を出力する開閉操作検出部を備え、
筐体側に、
モータ駆動により消火栓弁に対するパイロット圧を制御して、当該消火栓弁を開閉させる電動パイロット弁と、
開閉操作検出部からの開位置検出信号により電動パイロット弁を開駆動させ、開閉操作検出部からの閉位置検出信号により電動パイロット弁を閉駆動させる開閉回路部と、
を備え、
開閉操作検出部と開閉回路部との接続を中扉の開閉状態に関わらず維持可能に信号線が配線される。
【００１９】
（ノズル係止機構を備えた消火栓収納箱）
また、本発明は、
トンネル壁面に沿った監視員通路に埋込み設置され、内部にノズル付きのホースが収納された筐体と、
監視員通路側となる筐体の上面に、前開き及び後開き自在に配置された上扉と、
が設けられた消火栓収納箱に於いて、
筐体の内部で上扉の下方に、前開き自在に配置された中扉と、
中扉の裏面に、ノズルが着脱自在に係止されるノズルホルダーが設けられたノズル係止機構と、
を備えたことを特徴とする。
【００２０】
（ノズルホルダー）
ノズル係止機構は、中扉が前開きされた場合に、ノズルホルダーに係止されたノズルを外部に露出させる。
【００２１】
（前扉）
また、本発明の消火栓収納箱は、道路側となる筐体の前面に、上下方向にスライド開閉自在に配置された前扉を備え、
上扉は、前扉の開操作又は開動作に連動して前開き可能となる。
【発明の効果】
【００２２】
（基本的な効果）
本発明は、トンネル壁面に沿った監視員通路に埋込み設置され、内部にノズル付きのホースが収納された筐体と、監視員通路側となる筐体の上面に、前開き及び後開き自在に配置された上扉と、道路側となる筐体の前面に、上下方向にスライド開閉自在に配置された前扉とが設けられた消火栓収納箱に於いて、筐体の内部で上扉の下方に、前開き自在に配置された中扉と、中扉の裏面に、消火栓収納箱から分離配置された消火栓弁を遠隔的に開閉操作する消火栓弁開閉レバーを備えた放水操作機構とを備えたため、トンネル内での火災を伴う車両事故の発生時に、運転者等の道路利用者が例えば道路側から前扉及び上扉を開放させて、中扉を開く操作を行った場合、前開きした中扉の裏面に配置された消火栓弁開閉レバーが道路利用者の目の前に出現し、消火栓弁開閉レバーの位置は、道路に立っている道路利用者の腰から肩までの高さ程度の位置となり、操作に迷うことなく、容易に消火栓弁開閉レバーを開位置に操作して放水による消火を行うことができる。
【００２３】
また、利用者が監視員通路から上扉を後開きして、中扉を開いた場合にも、前開きした中扉の裏面に消火栓弁開閉レバーが配置されており、利用者は監視員通路から体をかがめることで、目の前に出現した消火栓弁開閉レバーを開位置に操作して放水による消火を行うことができる。
【００２４】
（パイロット弁式放水操作機構による効果）
また、消火栓開閉操作機構は、互いに回転可能な配管接続部の一方が、筐体側又は中扉側に固定された一対の可動管継手（スイベルジョイント）と、一対の可動管継手の間に接続されたパイロット配管と、パイロット配管に接続され、消火栓弁開閉レバーの開閉操作により消火栓弁に対するパイロット圧を制御して、当該消火栓弁を開閉させる手動パイロット弁とを備え、一対の可動管継手を配管接続部の回転軸が互いに一致するように配置し、中扉を一対の可動管継手の回転軸周りに開閉するようにすることで、配管接続部の可動管継手を開閉軸に兼用させることで中扉の構造が簡単にでき、また、前扉及び上扉には扉の開閉機構を設けるだけで良いことから、前扉及び上扉の構造も簡単にできる。
【００２５】
（電気式放水操作機構による効果）
また、放水操作機構は、中扉の裏面に、消火栓弁開閉レバーの操作による開位置及び閉位置を検出し、当該検出位置に応じて開位置検出信号又は閉位置検出信号を出力する開閉操作検出部を備え、筐体側に、モータ駆動により消火栓弁に対するパイロット圧を制御して、当該消火栓弁を開閉させる電動パイロット弁と、開閉操作検出部からの開位置検出信号により電動パイロット弁を開駆動させ、開閉操作検出部から前扉及び上扉には扉の開閉機構を設けるだけで良いことから、上扉及び前扉の構造が簡単にできる。
【００２６】
（ノズル係止機構による効果）
また、本発明は、トンネル壁面に沿った監視員通路に埋込み設置され、内部にノズル付きのホースが収納された筐体と、監視員通路側となる筐体の上面に、前開き及び後開き自在に配置された上扉と、道路側となる筐体の前面に、上下方向にスライド開閉自在に配置された前扉とを備えた消火栓収納箱に於いて、筐体の内部で上扉の下方に、前開き自在に配置された中扉と、中扉の裏面に、ノズルが着脱自在に係止されるノズルホルダーが設けられたノズル係止機構を備え、ノズル係止機構は、中扉が前開きされた場合に、ノズルホルダーに係止されたノズルを外部に露出させるようにしたため、道路側からの操作により奥行き方向に前開きした中扉の裏面にノズルが係止されており、このノズルの係止位置は、道路に立っている利用者の腰から肩までの高さ程度の位置となり、利用者の目の前にノズルが現れることから、操作に迷うことなく、容易にノズル付きホースを引き出して消火を行うことができる。
【００２７】
また、利用者が監視員通路から上扉を後開きして、中扉を前開きした場合にも、前開きした中扉の裏面にノズルが係止されており、利用者は監視員通路から体をかがめることで、目の前に出現したノズルを取り出し、容易にホースを引き出して消火を行うことができる。
【００２８】
（ノズル係止機構及び消火栓弁開閉レバーを中扉に設ける効果）
両開き（前開き及び後開き）する上扉とは別に前開きする中扉を配置し、この中扉にノズルホルダー及び消火栓弁開閉レバーを設けたことで、上扉の開閉機構（両開き可能なヒンジ機構及び施解錠機構）と、ノズル係止機構や消火栓弁開閉レバーの配管伸縮機構を分離して別個に配置でき、消火栓収納箱の製造を容易にすることができる。
【図面の簡単な説明】
【００２９】
【図１】シールドトンネル内に設置した消火栓設備を含むトンネル非常用設備を示した説明図
【図２】消火栓収納箱の外観を正面、平面及び側面から示した説明図
【図３】消火栓収納箱の内部構造を正面、平面及び側面から示した説明図
【図４】パイロット弁式の放水操作機構の実施形態を、前扉をスライド落下して開放させ上扉及び中扉を前開きした消火栓収納箱を正面から示した説明図
【図５】パイロット弁式の放水操作機構の実施形態を、上扉を後開きさせ、中扉を前開きした消火栓収納箱を正面から示した説明図
【図６】消火栓収納箱を横から見た断面で示した説明図
【図７】図４の放水制御機構を消火栓収納箱と共に路面側から見た断面で示した説明図
【図８】電気式の放水操作機構の実施形態を、前扉をスライド落下して開放させ上扉及び中扉を前開きした消火栓収納箱を正面から示した説明図
【図９】図８の放水制御機構を消火栓収納箱と共に路面側から見た断面で示した説明図
【図１０】電動パイロット弁の操作回路の実施形態を示した回路ブロック図
【図１１】電動パイロット弁の操作回路の他の実施形態を示した回路ブロック図
【図１２】電動パイロット弁の操作回路の他の実施形態を示した回路ブロック図
【図１３】電動パイロット弁の操作回路の他の実施形態を示した回路ブロック図
【発明を実施するための形態】
【００３０】
［トンネル非常用設備の概要］
図１は、自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００３１】
床版１８で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、通路幅が７０センチメートルといった大きさをもつ。
【００３２】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００３３】
トンネル１０の長手方向の５０メートルおきには、消火栓設備１６が設置され、消火栓設備１６はホースが収納された消火栓収納箱３０と放水制御機構収納部９０に分離して設置されている。
【００３４】
消火栓収納箱３０は、監視員通路１４の路面及び道路１５側の壁面にかけて箱形に刳り貫かれた消火栓埋込部に配置されている。放水制御機構収納部９０は、消火栓収納箱３０の下側となる管理用通路２０に配置され、給水本管２４から分岐した分岐配管２４ａが引き込まれ、また、消火栓収納箱３０に消火用水を供給する給水配管２５が立ち上げられている。
【００３５】
［消火栓設備］
図２は消火栓収納箱の外観を正面、平面及び側面から示した説明図、図３は消火栓収納箱の内部構造を正面、平面及び側面から示した説明図である。
【００３６】
（消火栓収納箱の外観構造）
図２に示すように、消火栓設備１６の消火栓収納箱３０は、監視員通路１４の路面下の内部空間に埋込み設置されている。消火栓収納箱３０は、図２（Ａ）に示すように、筐体３１の前面中央の下側に固定扉３３が配置されると共に、固定扉３３の上側に前扉３２が上下方向にスライド自在に配置されている。
【００３７】
また、図２（Ｂ）に示すように、消火栓収納箱３０の監視員通路１４の路面側となる上面中央には、前扉３２と同じ横幅の上扉３６が配置され、更に、図３に示すように、筐体３１の内部で上扉３６の下方には、上扉３６よりも面積の小さな中扉４０が配置されている。上扉３６は、図２（Ｃ）に示すように、上扉３６ａで示す前開きと、上扉３６ｂで示す後開きができ、中扉４０は、図２（Ｃ）に示すように、中扉４０ａで示す前開きができる。
【００３８】
ここで、上扉３６ａで示す前開きとは、上扉３６の奥行側の後縁部を軸として上向き回りに開閉されること、上扉３６ｂで示す後開きとは、上扉３６の手前の前縁部を軸として上向き回りに開閉されることを意味し、また、中扉４０の前開きとは、中扉４０の後部側を軸として上向き回りに開閉されることを意味する。
【００３９】
前扉３２と上扉３６は閉鎖状態で係止されており、利用者が道路１５側から操作する場合には、前開きハンドル３４を開操作すると、上扉３６に対する前扉３２の係止が解除され、前扉３２は自重により固定扉３３の裏側にスライド落下して消火栓収納箱３０の前面上部を開口させ、更に、上扉３６及び中扉４０を前開きすることで、消火栓収納箱３０の上面を開口させる。
【００４０】
また、利用者が監視員通路１４側から操作する場合には、後開きハンドル３８を開操作すると、筐体３１に対する上扉３６の係止が解除され、上扉３６を後開きし、中扉４０を前開きすることで、消火栓収納箱３０の上面を開口させる。
【００４１】
ここで、前開きハンドル３４の開操作、又は前扉３２の落下に連動して上扉３６の前開きが可能となり、前扉３２が閉じている場合には、上扉３６が前開きできずに後開きのみ可能になるように構成することで、利用者が監視員通路１４側から操作する場合は、上扉３６が常に後開きすることで道路１５側への障壁となり、利用者が操作中に道路１５に落下するという二次災害を防止することができる。
【００４２】
消火栓収納箱３０の前面左上部には通報装置パネル４２が設けられる。通報装置パネル４２には、赤色表示灯４４、発信機４５、電話ジャック４６及び応答ランプ４８が設けられている。赤色表示灯４４は常時点灯し、消火栓設備の設置場所が遠方から分かるようにしている。
【００４３】
火災時には、発信機４５を押して押し釦スイッチをオンすると、発信信号が監視室の防災受信盤に送信されて火災警報が出され、これに伴い応答信号が火災受信機から送られて、応答ランプ４８が点灯され、更に、赤色表示灯４４が点滅される。
【００４４】
（消火栓収納箱の内部構造）
図３に示すように、消火栓収納箱３０の内部下側はホース収納部５０となっており、保形構造のホース６０を水平回りに内巻きしている。ここで、消火栓収納箱３０の横幅は約１．４メートル程度、奥行きは約０．３５メートル程度であることから、ホース収納部５０に内巻きされたホース６０の１ターンの長さは概ね３．５メートル程度となり、ホース長さは３０メートル以上必要とすることから、ホース６０は９ターン以上内巻きすればよい。
【００４５】
消火栓収納箱３０の中央にはガイドパイプ５４、５６で構成されたホースガイド５２が配置されている。ホースガイド５２は金属パイプを使用しており、上面から前面にＬ型の屈曲した２本のガイドパイプ５６を、図２に示した前扉３２と上扉３６の開口の内側に配置し、前面の略中央で横向きにガイドパイプ５４を配置して両端をガイドパイプ５６に固定しており、前扉３２、上扉３６及び中扉４０の開放状態で、上部前面及びこれに続く上部開口をガイドパイプ５４、５６で仕切ることで、ホース６０の取出し空間が形成されている。
【００４６】
また、ガイドパイプ５６は、その上部を閉鎖している上扉３６及び中扉４０の下面に位置させ、上扉３６及び中扉４０を閉鎖状態でガイドパイプ５６の上に載置して支える上扉支持構造としている。ここで、扉開口の２か所にガイドパイプ５６が前後方向に位置して上扉３６及び中扉４０を支えており、閉鎖している上扉３６に人が乗ったとしても、ガイドパイプ５６により支えていることで、十分な支持強度が得られている。
【００４７】
中扉４０の裏面には消火栓弁開閉レバー６８を備えた操作箱６６が配置されている。操作箱６６の内部には、後の説明で明らかにする手動パイロット弁が設けられており、消火栓弁開閉レバー６８の操作により手動パイロット弁が操作され、図１に示したように、管理用通路２０に配置された放水制御機構収納部９０に設けられた消火栓弁を遠隔制御させる。
【００４８】
このように中扉４０の裏面に消火栓弁開閉レバー６８が設けられたことで、中扉４０を前開きすると、扉裏面に保持されている消火栓弁開閉レバー６８が消火栓収納箱３０の上部に現れることになる。
【００４９】
中扉４０の前開きで扉裏面に保持されている消火栓弁開閉レバー６８が現れる位置は、路面１５から概ね０．９〜１．３メートルの範囲のいずれかとなり、これは路面１５に立った利用者の腰から肩までの範囲に相当し、目の前に消火栓弁開閉レバー６８が出現することから、消火栓弁開閉レバー６８の操作が容易にできる。
【００５０】
また、上扉３６を後開きした場合にも、中扉４０の前開きで扉裏面に保持されている消火栓弁開閉レバー６８が現れる位置は、監視員通路１４の路面から概ね０．２〜０．４メートルの範囲のいずれかとなり、監視員通路１４に体をかがめて後開きハンドル３８を操作している利用者の目の前に消火栓弁開閉レバー６８が出現し、利用者は監視員通路１４側から消火栓弁開閉レバー６８を容易に操作することができる。
【００５１】
中扉４０の裏面にはノズル係止機構としてノズルホルダー６４が配置され、ノズルホルダー６４にホース６０の先端に設けられた泡ノズル６２が着脱自在に係止されている。このため中扉４０を前開きすると、扉裏面に保持されている泡ノズル６２が消火栓収納箱３０の上部に現れることになる。
【００５２】
中扉４０の前開きで扉裏面に保持されている泡ノズル６２が現れる位置は、消火栓弁開閉レバー６８の場合と同様に、路面１５に立った利用者の腰から肩までの範囲に相当し、目の前に泡ノズル６２が出現することから、泡ノズル６２の取出しが容易にできる。
【００５３】
また、上扉３６を後開きした場合にも、中扉４０の前開きで扉裏面に保持されている泡ノズル６２は、監視員通路１４に体をかがめて後開きハンドル３８を操作している利用者の目の前に出現し、利用者は監視員通路１４側からノズル６２を容易に取り出すことができる。
【００５４】
ホース収納部５０に内巻きされたホース６０は、図３（Ｂ）の平面に示すように、筐体３１の長手方向の後方側ラインとガイドパイプ５６が位置する前面側で内側に湾曲したライン、及び筐体３１の左右両端部の２つの半円からなる略長円形の状態で巻かれている。
【００５５】
筐体３１内に重ねて内巻きされたホース６０は、略長円形の長手部分がガイドパイプ５６により内側に変形されることで、外側に広がろうとする反発力がホース６０に発生し、これがホース６０を筐体内壁側に押し付ける力となり、重ねて内巻きしたホース６０が内側に崩れてしまうことを確実に防止可能としている。
【００５６】
また、ホース６０を外部に引き出す場合には、半円部分の変形によるホース６０を押し出そうとする力に加え、長手部分についても、ガイドパイプ５６による変形力によるホースを押し出そうとする力が発生し、ホースの引き出し力を低減可能としている。
【００５７】
［放水操作機構］
図４は前扉をスライド落下して開放させ上扉及び中扉を前開きした消火栓収納箱を正面から示した説明図であり、図５は上扉を後開きさせ、中扉を前開きした消火栓収納箱を正面から示した説明図である。また、図６は消火栓収納箱の横から見た断面を示した説明図であり、図６（Ａ）に前扉、上扉及び中扉の閉鎖状態の断面を示し、図６（Ｂ）に前扉をスライド開放して上扉及び中扉を前開きした状態の断面を示し、図６（Ｃ）に上扉を後開きして中扉を前開きした状態の断面を示す。
【００５８】
図４、図５及び図６に示すように、上扉３６と筐体３１との間には、ガススプリング４１が設けられている。ガススプリング４１は、上扉３６が前開き及び後開きされる場合、利用者が上扉３６を持ち上げるときの力を補助する方向に作用する。中扉４０には、利用者が持ち上げるときの力を補助する装置が設けられていないが、上扉３６と同様に、ガススプリング等の補助装置を設けるようにしても良い。
【００５９】
また、前開き状態で示す中扉４０の裏面に配置された操作箱６６には、手動パイロット弁６５（図７参照）が収納されており、消火栓弁開閉レバー６８により開閉操作が行われる。
【００６０】
操作箱６６（手動パイロット弁６５）からは中扉４０の裏面に沿ってパイロット配管８６、８８が引き出されており、可動管継手となる左右一対のスイベルジョイント８０を介して、筐体３１側のパイロット配管８６、８８に連結されている。
【００６１】
一対のスイベルジョイント８０は、筐体３１に固定された配管接続部８２側と、中扉４０の裏面に固定された配管接続部８４側とが互いに回転可能であり、中扉４０側のパイロット配管８６、８８と、筐体３１側のパイロット配管８６、８８とを自在に連結させている。
【００６２】
また、両スイベルジョイント８０は、回転軸が互いに一致するように配置されており、中扉４０は、両スイベルジョイントの回転軸周りに開閉（前開き）する。このような機構とすることで、中扉４０用の回転軸を別に設ける必要がなく、簡潔な構成とすることができる。
【００６３】
本実施形態では、中扉４０用の回転軸を兼ねる可動管継手としてスイベルジョイントを使用しているが、回転管継手（ロータリージョイント）や可撓管継手（フレキシブルジョイント）等の他の方式の継手を使用してもよい。また、中扉４０用の回転軸を別に設け、可撓管（フレキシブルホース）等により中扉４０側と筐体３１側のパイロット配管８６、８８を接続するようにすることも可能であり、この場合、中扉４０を閉じた際に可撓管が弛んで消火栓弁開閉レバー６８に絡まる等、他部位への干渉を防止する機構を設けるようにした方が良い。
【００６４】
［放水制御機構の構成］
図７は放水制御機構を監視員通路側の消火栓収納箱と共に路面側から見た断面で示した説明図である。
【００６５】
（パイロット弁式放水制御機構）
図７に示すように、消火栓収納箱３０が配置された監視員通路１４の内部空間の下側となる管理用通路２０には放水制御機構収納部９０が配置されている。
【００６６】
放水制御機構収納部９０には、放水制御機構を構成するバルブ類として、加圧開放型の消火栓弁９２、自動調圧弁９４、泡混合器９６が設けられる。
【００６７】
給水本管２４から分岐された分岐配管２４ａは消火栓弁９２の１次側に接続され、消火栓弁９２に続いて自動調圧弁９４と泡混合器９６が接続される。混合器９６には泡原液タンク９８からの配管が接続され、泡混合器９６を流れる消火用水に泡原液を所定割合で混合させた泡消火用水を、給水配管２５を介して消火栓収納箱３０のホース６０に供給するようにしている。
【００６８】
消火栓弁９２には、加圧開放を行うための弁開閉機構として、シリンダ室１００にピストン１０２が摺動自在に設けられ、ピストン１０２には弁体１０５がピストンロッドにより連結され、シリンダ室１００の反対側にはスプリング１０４が組み込まれている。
【００６９】
通常状態で消火栓弁９２は、シリンダ室１００から消火用水を排出してパイロット圧を減圧してゼロとし、ピストン１０２をスプリング１０４により閉鎖方向に押して、弁体１０５を弁座に当接させることにより１次側と２次側の流路を閉じて閉鎖状態としている。
【００７０】
消火栓弁９２を開放させるには、シリンダ室１００に消火用水を供給してパイロット圧を加圧させることで、スプリング１０４に抗してピストン１０２を外側にストロークさせ、弁体１０５を弁座から離して１次側と２次側を連通させることで開放状態とする。
【００７１】
消火栓弁９２を遠隔操作により開放させるため、消火栓収納箱３０の操作箱６６には、消火栓弁開閉レバー６８により開閉される手動パイロット弁６５が設けられている。
【００７２】
手動パイロット弁６５の１次側には、分岐配管２４ａから引き出されたパイロット配管８６が一方のスイベルジョイント８０を経由して接続され、手動パイロット弁６５の２次側は、他方のスイベルジョイント８０を経由したパイロット配管８８により消火栓弁９２のシリンダ室１００に接続されている。
【００７３】
（消火栓設備の動作）
トンネル１０内で火災を伴う車両事故が発生した場合には、道路利用者は火災発生場所に近い消火栓設備１６に出向き、図２に示した通報装置パネル４２の発信機４５を押して監視センターの防災受信盤に火災通報信号を送信し、防災受信盤から確認応答信号を受信して応答ランプ４８が点灯されると共に赤色表示灯４４が点滅され、監視センター側への通報完了を確認する。
【００７４】
続いて、道路１５側から消火作業を行うため、消火栓収納箱３０の前開きハンドル３４を操作して係止を解除すると、前扉３２がスライド落下して開放され、また、上扉３６及び中扉４０を前開きすると、前開きした中扉４０の裏面に係止された泡ノズル６２が上部に露出される。
【００７５】
道路利用者は、ノズルホルダー６４から泡ノズル６２を取り外してホース６０を引き出すが、このとき引き出されるホース６０はガイドパイプ５４、５６に摺接しながら、滑らかに引き出される。
【００７６】
なお、消火栓収納箱３０の前に車両が停止していて前面側から操作できない場合には、利用者は監視員通路１４から操作することになる。
【００７７】
続いて、中扉４０の裏面に配置されて目の前に出現している操作箱６６の消火栓弁開閉レバー６８を開方向に操作すると、手動パイロット弁６５が開放され、分岐配管２４ａからの消火用水がパイロット配管８６、手動パイロット弁６５及びパイロット配管８８を介して消火栓弁９２のシリンダ室１００に供給されてパイロット圧が加圧され、スプリング１０４に抗してピストン１０２を外側にストロークさせ、弁体１０５を弁座から離すことで消火栓弁９２が開放される。
【００７８】
消火栓弁９２が開放されると給水本管２４からの消火用水が消火栓弁９２、自動調圧弁９４、泡混合器９６を介して給水配管２５から消火栓収納箱３０のホース６０に向かって流れる。
【００７９】
消火栓収納箱３０から引き出されたホース６０の泡ノズル６２から泡消火用水が放出される場合には、消火用水に泡混合器９６で泡原液が所定割合で混合され、空気を巻き込むことで形成される消火泡が放出される。
【００８０】
また、消火栓弁９２が開放された場合に、ポンプ起動信号を消火ポンプ設備に送信して起動させる必要があることから、水圧を検知してオンする圧力スイッチ１１２を消火栓弁９２の２次側に設けている。
【００８１】
火災が鎮火して消火作業が終了した場合には、消火栓弁開閉レバー６８を閉位置に戻し、手動パイロット弁６５を閉鎖させる。手動パイロット弁６５が閉鎖すると、オリフィス１０８を介してシリンダ室１００の水がゆっくりと排水されて、パイロット圧がゼロに減圧する。パイロット圧がゼロに減圧すると、スプリング１０４によりピストン１０２が押し戻されて弁座に当接し、これにより消火栓弁９２が閉鎖して消火泡の放出が停止する。
【００８２】
また、放水制御機構を点検する場合には、担当者が管理用通路２０に配置された放水制御機構収納部９０に出向き、手動開放弁１０６を開くと、シリンダ室１００に消火用水が供給されてパイロット圧が加圧され、消火栓弁９２を開放させて所定の放水試験を行うことを可能としている。
【００８３】
なお、パイロット配管８８に設けられた逆止弁９１は、手動開放弁１０６を開いたときに逆流して、消火栓収納箱３０の手動パイロット弁６５までのパイロット配管８８内に充水されることを防いでいる。
【００８４】
放水試験が終了した場合には、手動開放弁１０６を閉じ、オリフィス１０８からの排水で消火栓弁９２が閉鎖される。この場合、オリフィス１０８からの排水では時間がかかることから、手動排水弁１１０を開いて排水させることで、消火栓弁９２を短時間で閉鎖させるようにしても良い。その場合には、手動排水弁１１０を開いたときにオリフィス１０８側に逆流することを防ぐために、逆止弁１０９を設けるようにする。
【００８５】
（電気式放水操作機構）
図８は電気式の放水操作機構の実施形態を、前扉をスライド落下して開放させ上扉及び中扉を前開きした消火栓収納箱を正面から示した説明図、図９は図８の消火栓収納箱に対する放水制御機構を路面側から見た断面で示した説明図であり、当該放水制御機構は、図７の実施形態と同じ構成である。
【００８６】
図８及び図９に示すように、本実施形態の放水操作機構にあっては、回動連結部１１３周りに開閉する中扉４０の裏面に配置された操作箱６６には消火栓弁開閉レバー６８と、消火栓弁開閉レバー６８の開閉操作を検出する開閉操作検出部１１４が設けられている。
【００８７】
一方、筐体３１側には、電動パイロット弁１３０が配置され、電動パイロット弁１３０に対し開閉操作回路１３４が設けられている。電動パイロット弁１３０には、図９に示すように、管理用通路２０に設置された放水制御機構収納部９０からのパイロット配管８６、８８が連結されている。
【００８８】
中扉４０の操作箱６６に設けられた開閉操作検出部１１４と、筐体３１の開閉操作検出部１１４との間を接続する信号線１１５は、配線貫通部１１６を介して接続され、操作箱６６から配線貫通部１１６の間は、フレキシブルに配線されている。
【００８９】
（操作回路）
図１０は電動パイロット弁の操作回路の実施形態を示した回路ブロック図であり、図１０（Ａ）は電動パイロット弁の全閉状態を示し、図１０（Ｂ）は電動パイロット弁の全開状態を示す。
【００９０】
図１０に示すように、本実施形態の操作回路は、中扉４０の操作箱６６に設けられた開閉操作検出部１１４、電動パイロット弁１３０に設けられた開閉操作回路１３４で構成される。
【００９１】
開閉操作検出部１１４には、消火栓弁開閉レバー６８の開位置でオンし、閉位置でオフする開検出スイッチ１３６と、消火栓弁開閉レバー６８の閉位置でオンし、開位置でオフする閉検出スイッチ１３８が設けられている。
【００９２】
開閉操作回路１３４には、電動パイロット弁１３０の全閉位置でｂ側に切り替わり、電動パイロット弁１３０の全開位置でａ側に切り替わる２回路のリミットスイッチ１４０、１４２が設けられている。
【００９３】
電動パイロット弁１３０は、モータ１４４と弁本体１４６で構成される。モータ１４４は、端子Ａ−Ｃ間に所定の直流駆動電圧を印加すると弁本体１４６を開方向に回動させ、端子Ｂ−Ｃ間に所定の直流駆動電圧を印加すると弁本体１４６を閉方向に回動させる。
【００９４】
図１０の操作回路の動作は次ようになる。運用中は、消火栓弁開閉レバー６８は閉位置にあり、操作回路は図１０（Ａ）に示す状態にあり、モータ１４４に対し駆動電圧は供給されず、全閉位置に停止している。
【００９５】
この状態で消火栓弁開閉レバー６８を開位置に操作すると、開閉操作検出部１１４の開検出スイッチ１３６がオンし、閉検出スイッチ１３８がオフする。このため駆動電圧プラス側、開検出スイッチ１３６、リミットスイッチ１４０、モータ１４４及び駆動電圧マイナス側となる経路で駆動電圧の印加による駆動電流が端子Ａ−Ｃ間に流れ、モータ１４４は弁本体１４６を開方向に駆動する。
【００９６】
弁本体１４６が全開位置に達すると図１０（Ｂ）に示すように、リミットスイッチ１４０、１４２がａ側に切り替わり、モータ１４４に対し駆動電圧が印加されなくなり、モータ１４４が停止する。
【００９７】
また、図１０（Ｂ）に示す全開状態で、消火栓弁開閉レバー６８を閉位置に操作すると、開閉操作検出部１１４の開検出スイッチ１３６がオフし、閉検出スイッチ１３８がオンする。このため駆動電圧プラス側、閉検出スイッチ１３８、リミットスイッチ１４２、モータ１４４及び駆動電圧マイナス側となる経路で駆動電圧の印加による駆動電流が端子Ｂ−Ｃ間に流れ、モータ１４４は弁本体１４６を閉方向に駆動する。
【００９８】
弁本体１４６が全閉位置に達すると図１０（Ａ）に示すように、リミットスイッチ１４０、１４２がｂ側に切り替わり、モータ１４４に対し駆動電圧が印加されなくなり、モータ１４４が停止する。
【００９９】
（操作回路の他の実施形態）
図１１、図１２及び図１３は電動パイロット弁の操作回路の他の実施形態を示した回路ブロック図である。図１１の操作回路の実施形態にあっては、中扉４０の操作箱６６に２回路の開閉操作検出部１１４−１，１１４−２を設け、信頼性を向上させている。
【０１００】
開閉操作検出部１１４−１は駆動電圧のプラス側に設けられ、消火栓弁開閉レバー６８の開位置でオンし、閉位置でオフする開検出スイッチ１３６−１と、消火栓弁開閉レバー６８の閉位置でオンし、開位置でオフする閉検出スイッチ１３８−１が設けられている。この点は図１０の実施形態と同じである。
【０１０１】
これに加え駆動電圧のマイナス側に開閉操作検出部１１４−２が設けられ、消火栓弁開閉レバー６８の開位置でオンし、閉位置でオフする開検出スイッチ１３６−２と、消火栓弁開閉レバー６８の閉位置でオンし、開位置でオフする閉検出スイッチ１３８−２が設けられている。
【０１０２】
このように２回路の開閉操作検出部１１４−１、１１４−２が設けられたことで、駆動電圧のプラス側及びマイナス側の両方のラインをオン、オフされ、消火栓弁開閉レバー６８の操作の信頼性を向上可能としている。
【０１０３】
図１２の操作回路の実施形態は、電源電圧のプラス側のラインに、２回路の開閉操作検出部１１４−１、１１４−２を直列に設け、開検出スイッチ１３６−１、１３６−２及び閉検出スイッチ１３８−１、１３８−２の各々のアンド接続とすることで、電動パイロット弁１３０の開閉駆動の信頼性を向上させている。
【０１０４】
図１３の操作回路の実施形態は、電源電圧のプラス側のラインに、２回路の開閉操作検出部１１４−１、１１４−２を直列に設け、開検出スイッチ１３６−１、１３６−２はアンド接続とし、閉検出スイッチ１３８−１、１３８−２はオア接続とすることで、電動パイロット弁１３０の開閉駆動の信頼性を向上させている。
【０１０５】
［本発明の変形例］
（消火栓設備）
上記の実施形態は、消火泡を放出させる泡消火栓設備を例にとっているが、これに限定されず、消火用水を放水させる消火栓設備としても良い。
【０１０６】
（中扉）
消火作業時に上扉が開いた状態で、中扉の開閉に関わらず操作方法が確認できるように、中扉の表面及び裏面に操作案内を表示したり、操作案内表示板を設けたりするようにしても良い。
【０１０７】
また、消火作業時に上扉が開いた状態で、中扉を開く前に泡ノズルや消火栓弁開閉レバーの位置が確認できるように、中扉に透光性の材料や金網状の材料を使用するようにしてもよい。
【０１０８】
（ノズル係止機構）
上記の実施形態では、ノズル係止機構として、泡ノズルを中扉から引くことで係止が解除されるノズルホルダーを設けているが、これに限定されず、例えば、マグネット、マジックテープ（登録商標）、吸盤、両面テープ等により泡ノズルを係止するようにしてもよく、また、中扉の開閉方向とは異なる、例えば、泡ノズルの先端方向にスライドして泡ノズルの係止を解除するようにしても良い。
【０１０９】
（その他）
また本発明は、その目的と利点を損なうことのない適宜の変形を含み、更に、上記の実施形態に示した数値による限定は受けない。
【符号の説明】
【０１１０】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２５：給水配管
３０：消火栓収納箱
３１：筐体
３２：前扉
３３：固定扉
３４：前開きハンドル
３４ａ，３８ａ：ハンドル本体
３６：上扉
３８：後開きハンドル
４０：中扉
４１：ガススプリング
４２：通報装置パネル
４４：赤色表示灯
４５：発信機
４６：電話ジャック
４８：応答ランプ
５０：ホース収納部
５２：ホースガイド
５４，５６：ガイドパイプ
６０：ホース
６２：泡ノズル
６４：ノズルホルダー
６５：手動パイロット弁
６６：操作箱
６８：消火栓弁開閉レバー
８０：スイベルジョイント（可動管継手）
８２、８４：配管接続部
８６，８８：パイロット配管
９０：放水制御機構収納部
９１：逆止弁
９２：消火栓弁
９４：自動調圧弁
９６：泡混合器
９８：泡原液タンク
１００：シリンダ室
１０２：ピストン
１０４：スプリング
１０５：弁体
１０６：手動開放弁
１０８：オリフィス
１１０：手動排水弁
１１２：圧力スイッチ
１１３：回動連結部
１１４：開閉操作検出部
１１５：信号線
１１６：配線貫通部
１３０：電動パイロット弁
１３４：開閉回路部
１３６、１３６−１、１３６−２：開検出スイッチ
１３８、１３８−１、１３８−２：閉検出スイッチ
１４０，１４２：リミットスイッチ
１４４：モータ
１４６：弁本体
【図１】
2018089212.tif 000003
【図２】
2018089212.tif 000004
【図３】
2018089212.tif 000005
【図４】
2018089212.tif 000006
【図５】
2018089212.tif 000007
【図６】
2018089212.tif 000008
【図７】
2018089212.tif 000009
【図８】
2018089212.tif 000010
【図９】
2018089212.tif 000011
【図１０】
2018089212.tif 000012
【図１１】
2018089212.tif 000013
【図１２】
2018089212.tif 000014
【図１３】
2018089212.tif 000015